(57)【要約】【課題】応募者に期待感を保たせつつアクセス数を確保することができる懸賞サイトを管理する懸賞管理装置及びその方法を提供する。【解決手段】複数の端末３，４とネットワークを構成し、所定の条件（＃１０〜１３）を満たすことにより前記複数の端末から懸賞品の応募を受け付け（＃１４）、当該応募に対して当選者を決定・発表する処理を、所定期間ごとに繰り返す懸賞管理装置である。前記所定の条件は、前記懸賞品の応募に先立って出題される、１又は２以上の設問への正解（＃１１，＃１３）であり、前記設問の少なくとも１つは、投票形式の設問であり、当該設問に回答する前記所定期間の開始前に投票された得票数の結果に応じて正答が決定される（＃２０）設問である。【選択図】　図４
2004013619.tif 000002
【特許請求の範囲】
【請求項１】
複数の端末とネットワークを構成し、所定の条件を満たすことにより前記複数の端末から懸賞品の応募を受け付け、当該応募に対して当選者を決定・発表する処理を、所定期間ごとに繰り返す懸賞管理装置であって、
前記所定の条件は、前記懸賞品の応募に先立って出題される、１又は２以上の設問への正解であり、
前記設問の少なくとも１つは、投票形式の設問であり、当該設問に回答する前記所定期間の開始前に投票された得票数の結果に応じて正答が決定される設問であることを特徴とする懸賞管理装置。
【請求項２】
前記所定の条件を満たさない場合には、当該設問に回答する所定期間の終了後に出題される投票形式の設問への得票数は、１投票当たり複数票とすることを特徴とする請求項１記載の懸賞管理装置。
【請求項３】
複数の端末とネットワークを構成し、前記複数の端末から懸賞品の応募を受け付け、当該応募に対して当選者を決定・発表する処理を、所定期間ごとに繰り返す懸賞管理装置であって、
少なくとも１つの設問が投票形式の設問である１又は２以上の設問を記憶する設問記憶手段と、
前記懸賞品の応募に先立って、前記設問記憶手段に格納されている設問を前記端末に送信し、その回答を求める設問送受信手段と、
前記端末から受信した前記設問に対する回答の正否を判断する回答判断手段と、
前記回答判断手段により前記設問に対する回答が正解であると判断された場合には、当該端末からの懸賞品の応募に関する情報を受信する応募受付手段と、
前記設問記憶手段に記憶されている設問の当該設問が出題される前記所定期間の開始前に、前記投票形式の設問の選択肢の投票を受け付け、得票数を集計する集計手段と、
前記集計手段の集計結果に基づいて前記投票形式の当該設問の正答を決定して前記設問記憶手段に記憶させる正答決定手段とを有することを特徴とする懸賞管理装置。
【請求項４】
前記回答判断手段が、前記端末から受信した前記設問に対する回答が誤答であると判断した場合は、前記集計手段は、当該設問に回答する所定期間の終了後に出題される投票形式の設問への得票数を、１投票当たり複数票とすることを特徴とする請求項３記載の懸賞管理装置。
【請求項５】
懸賞品の応募を受け付けに先立って当該端末の操作者を識別するための利用者識別子を受信して、当該利用者を識別することを特徴とする請求項１乃至４いずれか１つに記載の懸賞管理装置。
【請求項６】
前記所定期間は１日であることを特徴とする請求項１乃至５いずれか１つに記載の懸賞管理装置。
【請求項７】
複数の端末とネットワークを構成する懸賞管理装置において用いられ、所定の条件を満たすことにより前記複数の端末から懸賞品の応募を受け付けるステップと、当該応募に対して当選者を決定、発表するステップとを所定期間ごとに繰り返す懸賞管理方法であって、
前記所定の条件を満たすことにより前記複数の端末から懸賞品の応募を受け付けるステップは、
前記設問の少なくとも１つが投票形式の設問であり、当該設問に回答する前記所定期間の開始前に投票された得票数の結果に応じて正答を決定するステップと、
前記懸賞品の応募に先立って出題される少なくとも１つの設問の回答の正否を、前ステップによって決定した正答を用いて判断するステップと、
前記設問への回答が正答である場合には、懸賞品の応募を受け付けるステップとを備えることを特徴とする懸賞管理方法。
【請求項８】
前記懸賞品の応募に先立って出題される少なくとも１つの設問の回答の正否を、前ステップによって決定した正答を用いて判断するステップにおいて、
前記設問への回答が誤答であると判断された場合は、当該設問に回答する所定期間の終了後に出題される投票形式の設問への得票数は、１投票当たり複数票とするステップとを備えることを特徴とする、請求項７記載の懸賞管理方法。
【発明の詳細な説明】
【０００１】
【発明の属する技術分野】
本発明は、端末を操作する利用者が、当該端末を利用してインターネットなどのネットワークを利用して応募する懸賞サイトを管理するための装置及び方法に関する。
【０００２】
【従来の技術】
従来、携帯電話やパーソナルコンピュータを用いて、インターネットを経由して利用者のアクセスを受け付け、アクセスした利用者の中から抽選で懸賞品をプレゼントする懸賞サイトが存在する。そして、このような懸賞サイトの中には、ゲームに勝った場合やクイズに正解した場合など、所定の条件を満たしたときに初めてプレゼントに応募することができるようになっているものも多い。
【０００３】
このような従来の懸賞サイトは、応募に際して応募者（すなわち、コンピュータや携帯電話の操作者）が自分の個人情報を打ち込む操作を行う。そして、あらかじめ決められている締め切り時間を経過したあとに、サイトの管理者が、応募者の中から所定の条件を満たす者を母集団として当選者を決定する。
【０００４】
ところで、このような懸賞サイトに限らず、ネットワークを利用したサイトは、広告などを掲載しているため、一般には、サイト管理者は、アクセス数を増やしたいと考えられているのが通常である。
【０００５】
しかし、上記の従来の懸賞サイトは、応募者の立場からしてみれば、応募が終了してしまったあとは、当選するか否かはサイトの管理者に一任されており、応募者が積極的に行う手段はない。したがって、応募者は応募しただけで、あとは運に任せて賞品が当たるかを待っているしかなかった。このような懸賞サイトでは、応募者は、応募時においてのみアクセスし、応募終了後は放置することが多く、懸賞サイトに頻繁にアクセスすることは行われない。
【０００６】
また、懸賞サイトの中には、懸賞の当選者を表示しておいて、所定期間中の当選者発表期間内に当選者からの通知・連絡があった場合に限って、懸賞品の発送を行うようなものも存在する。このような懸賞サイトの場合は、応募者は、当選の確認をする必要があるので、応募時と当選確認時の少なくとも２回にわたって当該サイトにアクセスすることになる。しかし、応募者の立場からすると、当選者の確認作業は面倒であり、特に懸賞に外れた者は、確認してみたものの懸賞品は得られないということになり、その失望感は大きい。
【０００７】
【発明が解決しようとする課題】
したがって、本発明が解決しようとする技術的課題は、応募者に期待感を保たせつつアクセス数を確保することができる懸賞サイトを管理する懸賞管理装置及びその方法を提供することである。
【０００８】
【課題を解決するための手段および作用・効果】
本発明は、上記技術的課題を解決するために、以下の構成の懸賞管理装置を提供する。
【０００９】
懸賞管理装置は、複数の端末とネットワークを構成し、所定の条件を満たすことにより前記複数の端末から懸賞品の応募を受け付け、当該応募に対して当選者を決定・発表する処理を、所定期間ごとに繰り返すものである。そして、前記所定の条件は、前記懸賞品の応募に先立って出題される、１又は２以上の設問への正解であり、前記設問の少なくとも１つは、投票形式の設問であり、当該設問に回答する前記所定期間の開始前に投票された得票数の結果に応じて正答が決定される設問であることを特徴とする。
【００１０】
上記構成において、懸賞管理装置は、所定期間ごとに、ネットワークに接続されたコンピュータや携帯電話などの複数の端末から懸賞品のプレゼントに関する応募を受け付け、所定の締め切りが経過したあとに、応募者の中から当選者を抽選し、発表する処理を繰り返す装置である。端末の利用者は懸賞品のプレゼントに応募する前提として、応募に先立って懸賞管理装置から端末に送信される設問に正解することが条件となる。
【００１１】
設問は１又は２以上出題される。設問の少なくとも１つは、投票形式の問題である。投票形式の問題とは、例えば、複数の選択肢に示されている回答候補を選択して投票し、所定の投票の受け付け時間を経過した後に得票数の多少を予想する。具体的には、例えば、設問が「月と太陽、一生に一度行けるとしたらどっち？」という問題に対し、利用者は、どちらかを選択して投票する。所定の投票の受付け期間内に得られた得票数の多少を予想することによって回答が決定する。例えば、得票数が多い方を正答とする。
【００１２】
設問への投票は、当該設問が出題される所定期間の開始前に限られる。すなわち、設問への投票を行い、投票期間が経過すると当該投票結果を集計して正答を決定する。そして、その後の当該設問の出題時に利用者が懸賞品のプレゼントに応募する場合にその前提として当該設問が出題され、利用者は、例えばどちらが得票数を多く得られたかを予想して回答を決定する。
【００１３】
利用者が選択した回答が正答である場合、すなわち、出題されるすべての問題に正答した場合は、懸賞品のプレゼントに応募することができる。
【００１４】
上記構成によれば、利用者は、当該懸賞管理装置にアクセスし、設問に投票することにより、その後懸賞品のプレゼントの応募時に出題される設問の回答を予想することができる。したがって、出題される質問に対する回答を予想しやすく懸賞品の応募に対する期待感を維持することができる。また、以前自分が投票した投票の結果を確認するという期待感も生じ、懸賞品の応募のためだけでなく、結果確認のためにアクセスするという期待感を熟成することができる。
【００１５】
したがって、上記構成の懸賞管理装置によれば、応募者に期待感を保たせつつアクセス数を確保することができる。
【００１６】
本発明の懸賞管理装置は、具体的には以下のように種々の態様で構成することができる。
【００１７】
上記構成において、好ましくは、前記所定の条件を満たさない場合には、当該設問に回答する所定期間の終了後に出題される投票形式の設問への得票数は、１投票当たり複数票とする。
【００１８】
上記構成において、所定の条件を満たさない場合、すなわち、懸賞品の応募の前提として出題される設問に誤答した場合、当該所定期間経過後に出題される設問の投票に際して、得票数を、１投票当たり複数票とする。すなわち、出題される設問に誤答して所定の条件を満たさない場合は、懸賞に応募することができないため、利用者の期待感が薄らぐこととなる。これを緩和するため、今回の応募に関する所定期間より後の所定期間における応募において得票数を多くすることより投票形式の設問の正答に与える影響を多くし、当該利用者に当該設問の回答を予想しやすくすることができる。
【００１９】
上記構成によれば、所定の条件を満たさず、懸賞品のプレゼントに応募できない場合であっても、１投票当たりの得票数が複数となり、集計結果に与える影響が大きくなるため、正答の予想が立てやすく、次の所定期間における出題に正答する確率が高くなる。したがって、懸賞品のプレゼントに応募できる確率が高くなるため、当該利用者は懸賞管理装置へのアクセスの期待感が高くなり、当該サイトのアクセス数を増大させることができる。
【００２０】
また、本発明は以下の構成の懸賞管理装置を提供する。
【００２１】
懸賞管理装置は、複数の端末とネットワークを構成し、前記複数の端末から懸賞品の応募を受け付け、当該応募に対して当選者を決定・発表する処理を、所定期間ごとに繰り返すものである。そして、少なくとも１つの設問が投票形式の設問である１又は２以上の設問を記憶する設問記憶手段と、前記懸賞品の応募に先立って、前記設問記憶手段に格納されている設問を前記端末に送信し、その回答を求める設問送受信手段と、前記端末から受信した前記設問に対する回答の正否を判断する回答判断手段と、前記回答判断手段により前記設問に対する回答が正解であると判断された場合には、当該端末からの懸賞品の応募に関する情報を受信する応募受付手段と、前記設問記憶手段に記憶されている設問の当該設問が出題される前記所定期間の開始前に、前記投票形式の設問の選択肢の投票を受け付け、得票数を集計する集計手段と、前記集計手段の集計結果に基づいて前記投票形式の当該設問の正答を決定して前記設問記憶手段に記憶させる正答決定手段とを有する。
【００２２】
上記構成によれば、懸賞品のプレゼントの応募の前提として、出題される設問に正答する必要があるが、当該設問の回答は、あらかじめ投票されたものであるため、回答の予想がつけやすくなる。したがって、設問に対する投票と応募との少なくとも２回のアクセスを行うことに対する期待感が維持されるため、懸賞管理装置へのアクセス数を増大することができる。
【００２３】
また、上記構成において、好ましくは、前記回答判断手段が、前記端末から受信した前記設問に対する回答が誤答であると判断した場合は、前記集計手段は、当該設問に回答する所定期間の終了後に出題される投票形式の設問への得票数を、１投票当たり複数票とする。
【００２４】
上記各構成において、好ましくは、懸賞品の応募を受け付けに先立って当該端末の操作者を識別するための利用者識別子を受信して、当該利用者を識別する。
【００２５】
上記構成において、利用者識別子は、利用者ごとに付されているものであってもよいし、端末機器ごとに付されているものであってもよい。懸賞品の応募を受け付けに先立って利用者識別子を識別することにより、１つの所定期間内における１の利用者からの応募を１回に限定する処理を行うことができ、また、後の所定時間に出題される設問への投票も１回に限定することができる。したがって、１の利用者による不当な複数に及ぶ投票を制限して、投票の集計を広く一般に予想しやすくすることができると共に、懸賞品に当選する確率をすべての利用者に対して平等にすることができる。
【００２６】
また、上記構成において、好ましくは、前記所定期間は１日である。
【００２７】
上記構成において、所定期間を１日とすることにより、本懸賞管理装置が１日ごとに繰り返し同様の処理を行うこととなる。したがって、当該所定期間は短くしたほうが、アクセス数を増大させることができる。しかし、当該懸賞管理装置は、同じ処理を繰り返して行うため、所定期間を１日より短くすると、利用者の生活リズムに合わないため、逆にアクセス数が少なくなる可能性がある。したがって、所定期間を１日とすることによりアクセス数を増大させることができる。
【００２８】
また、本発明は、以下の懸賞管理方法を提供する。
【００２９】
懸賞管理方法は、複数の端末とネットワークを構成する懸賞管理装置において用いられ、所定の条件を満たすことにより前記複数の端末から懸賞品の応募を受け付けるステップと、当該応募に対して当選者を決定、発表するステップとを所定期間ごとに繰り返すものである。そして、前記所定の条件を満たすことにより前記複数の端末から懸賞品の応募を受け付けるステップは、前記設問の少なくとも１つが投票形式の設問であり、当該設問に回答する前記所定期間の開始前に投票された得票数の結果に応じて正答を決定するステップと、前記懸賞品の応募に先立って出題される少なくとも１つの設問の回答の正否を、前ステップによって決定した正答を用いて判断するステップと、前記設問への回答が正答である場合には、懸賞品の応募を受け付けるステップとを備える。
【００３０】
また、上記方法において、好ましくは、前記懸賞品の応募に先立って出題される少なくとも１つの設問の回答の正否を、前ステップによって決定した正答を用いて判断するステップにおいて、前記設問への回答が誤答であると判断された場合は、当該設問に回答する所定期間の終了後に出題される投票形式の設問への得票数は、１投票当たり複数票とするステップとを備える。
【００３１】
【発明の実施の形態】
以下、本発明の一実施形態に係る懸賞管理装置を有する懸賞システムについて、図面を参照しながら説明する。
【００３２】
図１に示すように、本実施形態にかかる懸賞システム１は、インターネット５に接続して用いられる懸賞管理装置２を有している。懸賞管理装置２は、インターネットを通じて携帯電話３やパーソナルコンピュータ４と接続されており、これらの端末（携帯電話３及びパーソナルコンピュータ４）からのアクセスに応じて、賞品のプレゼントを目的とする懸賞サイトを提供するｗｅｂサーバとして機能する。
【００３３】
図２は、懸賞管理装置の構成を示すブロック図である。懸賞管理装置２は、装置全体の制御及び情報の演算をつかさどる制御演算部１０、インターネット５との情報の送受信をつかさどる送受信部１１、日付及び時間を計測・出力する計時ユニット１２、後述する本装置の目的を達成するために必要なプログラム及びデータを格納する記憶手段１３〜２１とを有している。
【００３４】
懸賞管理装置２は、携帯電話やパーソナルコンピュータなどの端末を操作する応募者からインターネットを介して、懸賞のプレゼントの応募を受け付け、最終的には当選者を決定することを目的とするものである。ただし、懸賞への応募の前提として、あらかじめ装置２内に格納されている２問の設問に正解することが条件とされている。
【００３５】
次に、上記目的を達成するためのプログラム及びデータを格納している記憶手段１３〜２１について説明する。記憶手段１３には、ｗｅｂデータが格納されている。以下、本明細書では、記憶手段１３〜２１に格納されているプログラム及びデータの名称を用いて、これらの記憶手段を識別することとする。ｗｅｂデータ１３は、端末（携帯電話３又はパーソナルコンピュータ４）に表示するためのｗｅｂページのほか、特定の情報を表示することができるようにするためのプログラムを格納する。
【００３６】
記憶手段１４には、登録者マスターテーブルが格納されている。登録者マスターテーブル１４は、本懸賞管理装置によって実現される懸賞サイトに登録した利用者（携帯電話３又はパーソナルコンピュータ４の操作者）に関するデータである。具体的には、利用者ＩＤ（以下、ＵＩＤと略記する場合がある。）、利用者のニックネーム、パスワード、住所（都道府県）等の個人情報が格納される。ＵＩＤは、本サイトにログインするために用いられるもので、原則として利用者から送られたパスワードとＵＩＤとが登録者マスターテーブルに格納されている情報と一致している場合に、ログインが認められるようになっている。また、例えば、携帯電話機の機種番号などＵＩＤを端末特有のものとした場合は、パスワードを省略することもできる。ニックネームは、サイトの画面上で登録者を識別するために用いられる。
【００３７】
記憶手段１５には、賞品マスターテーブルが格納されている。賞品マスターテーブル１５は、本懸賞管理装置によって実現される懸賞サイトにおける賞品の情報を管理するためのデータである。具体的には、賞品画像、賞品の説明、懸賞品として用いられる日程、当選者枠数、提供元などの情報などが格納されている。賞品マスターテーブル１５は、後述するように、主に本懸賞管理装置の操作において、懸賞品を確認する処理において用いられる。
【００３８】
記憶手段１６には、第１アクセスログ３１及び第２アクセスログ３２が格納されている。第１アクセスログ３１及び第２アクセスログ３２は、本サイトにアクセスした登録者のＵＩＤ及びアクセスした時間とをログとして一日単位で保存するためのものである。具体的には、第１アクセスログ３１は、後述する各時間帯ごとに異なるトップページにアクセスした時間についてのログであり、第２アクセスログ３２は、問題回答処理のページにアクセスした時間についてのログである。後述するように、第１アクセスログ３１及び第２アクセスログ３２は、一日分の処理が終了すると、集計処理がなされたあと、それぞれ第１集計テーブル３５、第２集計テーブル３６として保存される（図１７及び図１９参照）。その後内容が削除される処理が行われ、空白のデータとされる。
【００３９】
記憶手段１７には、回答履歴テーブルが格納されている。回答履歴テーブル１７は、本日分の第１及び第２問目の設問に正答したか及び翌日分の第１問目に投票したかどうかの履歴についてデータであり、具体的には、登録者のＵＩＤ及び投票の有無及び設問の回答についての情報が含まれる。また、後述のように、翌日分の第１問目への投票は、トップページから直接行う場合と、本日分の問題に不正解の場合に行う場合との２つのルートから行うことができるが、このルートの識別に関する情報についても格納する。
【００４０】
記憶手段１８には、投票集計テーブルが格納されている。投票集計テーブル１８は、翌日分の第１問目の投票数を集計するためのテーブルである。具体的には、後述するように、翌日分の第１問目は、２択形式の質問となっており、それぞれの回答候補について、あらかじめ定められた票数で得票数をカウントする。
【００４１】
記憶手段１９には、設問１マスターテーブル３３と設問２マスターテーブル３４とが格納されている。設問１マスターテーブル３３及び設問２マスターテーブル３４は、懸賞応募の条件である設問をそれぞれ格納するためのテーブルであり、具体的には、質問のテキストデータ、回答候補のテキストデータ、いつ設問として用いられるかを識別するための日付の情報等が格納されている。
【００４２】
本実施形態では、後述するように、設問１は、例えば、「月と太陽、一生に一度行けるとしたらどっち？」というような投票形式の設問であり、設問として用いられる前日中に利用者からの投票を受けつけ、得票数が多いほうを正解とする。よって、利用者は回答時に前日中に投票された得票数が多いほうを予想することとなる。設問２は、例えば、「日本で一番長い川は？」等の正答があらかじめ決まっている知識を問う問題であり、回答時に回答候補の中から選択するようにして回答する。
【００４３】
記憶手段２０には、当選者テーブルが格納されている。当選者テーブル２０は、懸賞に当選した登録者のＵＩＤとニックネームに関する情報などを有している。
【００４４】
記憶手段２１には、第１集計結果テーブル３５と第２集計結果テーブル３６とが格納されている。第１集計結果テーブル３５及び第２集計結果テーブル３６は、上述のように、それぞれ、第１アクセスログ３１及び第２アクセスログ３２のデータが集計されて保存される。
【００４５】
次に、実施形態にかかる懸賞管理装置２によって実現される懸賞サイトの流れの概略を説明する。図３は、この懸賞サイトの流れの概略を説明するフローである。本実施形態にかかる懸賞管理装置は、利用者からのアクセス４ａがどの時間にあるかによって、処理が異なるように構成されている。すなわち、本実施形態にかかる懸賞管理装置２では、１日を単位として、問題回答受付処理４１、抽選処理４２、当選者発表処理及び当選者の当選手続き処理４３、翌日用データ処理４４が順次繰り返し処理されるように構成されており、利用者からのアクセスがどのタイミングで行われるかによって、処理が異なるようになっている。具体的には、利用者からのアクセスが、８時〜１７時の間にあったときは問題回答受付処理４１が行われる。また、１７時〜１８時の間にあったときは抽選処理４２が行われる。１８時〜２４時の間にあったときは当選者発表処理及び当選者の当選手続き処理４３が行われる。２４時〜８時の間にあったときは翌日用データ処理４４が行われる。そして、これらの処理は、１日ごとに繰り返し行われている。
【００４６】
なお、翌日の第１問目の投票処理及び利用者の登録処理４５に関しては、時間に関係なく、どのタイミングでアクセスしても処理ができるように構成されている。
【００４７】
ただし、翌日の第１問目の投票処理は、上述したように、トップページから直接行う場合と、本日分の問題に不正解の場合に行う場合との２つのルートから行うことができる。利用者のアクセス時間にかかわらず行うことができるのは、トップページから直接行う場合に限られる。
【００４８】
また、これらの２つのルートから行う投票は、それぞれに投票１回についての得票数が異なるように構成されている。具体的には、トップページから第１問目への投票を行った場合は、投票１回について１票の得票を有する。一方、本日分の問題に不正解の場合には、投票１回について２回の得票を有する。図４に本日分の問題に不正解の場合の得票数の決定処理についてのフローを示す。なお、本日分の問題に不正解の場合の得票数の決定処理は、設問の回答が前提として行われるため、利用者のアクセスが、８時〜１７時の間にあった場合の問題回答受付処理４１時においてのみ行われる。
【００４９】
まず、問題回答処理４１において、設問１は設問１マスターテーブル３３に記憶されている情報が表示され、利用者は設問１に回答する（＃１０）。利用者からの回答を受信すると、懸賞管理装置２は、受信した回答が正解であるか否かを判断する（＃１１）。上述のように設問１は、前日の２択問題のうち得票数が多いものを予想することを趣旨とする問題であり、設問の解答は設問１マスターテーブル３３に格納されているため、このステップにおいては、これを参照して判断することとなる。
【００５０】
設問１に正解した場合は、設問２マスターテーブル３４に格納されている情報を参照して設問２が表示され、利用者は設問２に回答する（＃１２）。懸賞管理装置は、設問２の回答を受信すると、設問１の場合と同様に、設問２マスターテーブルに記憶されている解答の情報を参照し、正解であるか否かについて判断する（＃１３）。設問２にも正解した場合は、正解者として当該利用者のＵＩＤが登録され（＃１４）、１７時以降に行われる抽選処理における抽選の母集団に含まれる。設問１及び２の両方に正解した場合は、１７時の締め切り時間を経過したあとに抽選処理４２へ移行する。
【００５１】
一方、＃１１において設問１に正答できなかった場合及び＃１３において設問２に正答できなかった場合は、回答処理に引き続いてそれぞれ翌日の第１問への投票を行うことができる（＃１７）。この場合は、投票ごとに２票となるように処理されている（＃１８）。
【００５２】
トップページから直接行う翌日の第１問への投票は時間に関係なく行うことができる（＃１５）。このときの得票数は、上述のように投票ごとに１票となるように処理されている（＃１６）。したがって、設問１又は設問２に正答できなかった利用者は、回答処理に引き続いて行う投票とトップページから直接行う投票との２回の投票を行うことができる。したがって、設問１又は設問２に正答できなかった利用者は、翌日の第１問に対して合計で最大３票の権利を有することとなる。
【００５３】
これらの投票が終了した後、翌日用データ処理４４のステップにおいて懸賞管理装置２は、翌日の第１問の得票数について集計処理を行う（＃１９）。集計の結果、得票数の多い方を回答として決定し（＃２０）、これを翌日分の設問として設問１マスターテーブル３３に格納する。
【００５４】
次に、利用者が本サイトにアクセスして操作を行う場合についての具体的処理の流れについて説明する。以下、本実施形態では、利用者が本サイトにアクセスするために携帯電話を用いた場合を想定する。携帯電話を用いた場合は、携帯電話機それぞれが独自に端末特有の識別番号を有しており、これをＵＩＤとして利用する。したがって、後述するように、利用者の登録処理及びログイン時に利用者自らがＵＩＤを入力する手続きは省略される。
【００５５】
まず最初に、利用者のアクセス時間に関係がない処理について説明する。
【００５６】
図５は、賞品を確認するために行われる処理についての説明図である。この処理は、問題回答受付処理４１、抽選処理４２、当選者発表処理及び当選者の当選手続き処理４３、翌日用データ処理４４のそれぞれのトップ画面から「本日の賞品」又は「明日の賞品」の項目を利用者が選択した場合に行われる処理である。
【００５７】
この処理においては、計時ユニット１２からの日付のデータを参照して、賞品マスターテーブル１５中の本日又は明日の賞品に関する賞品画像データ及び賞品情報データを画面に表示するように処理が行われる。すなわち、本日の賞品を表示するように処理が行われた場合は、賞品マスターテーブルに格納されている賞品のうち計時ユニット１２の日付のデータと一致する賞品に関する情報を表示する。一方、明日の賞品を表示するように処理が行われた場合は、計時ユニット１２の日付のデータの翌日の賞品に関する情報を賞品マスターテーブル１５から読み出して表示するように処理が行われる。
【００５８】
図６は、新規登録処理についての説明図である。この処理は、問題回答受付処理４１、抽選処理４２、当選者発表処理及び当選者の当選手続き処理４３、翌日用データ処理４４のそれぞれのトップ画面から「新規登録」の項目を利用者が選択した場合に行われる処理である。
【００５９】
トップ画面の新規登録の項目が選択されると、新規登録の処理が開始され、利用者に関する情報の入力画面５２が表示される。この画面には、利用者のニックネーム、ログインのためのパスワード、利用者の住所（都道府県名）が入力される。ＵＩＤは、上述したように、携帯電話機ごとにあらかじめ定められており、この処理において利用者が入力する必要はない。ただし、利用者が操作する端末としてコンピュータが用いられる場合は、利用者にＵＩＤの入力を求めることが好ましい。
【００６０】
利用者は求められた項目の入力を終了すると確認画面へボタン５２ａを操作する。次いで、画面に新規登録確認画面５３が表示される。利用者はこの画面を確認し、入力ミスがないかどうかについて確認する。訂正が必要な場合は、訂正ボタン５３ａを選択し、新規登録入力画面に戻り再入力する。入力情報の訂正が必要ではない場合は、ＯＫボタン５３ｂを選択する。
【００６１】
新規入力確認画面５３でＯＫボタン５３ｂが選択された場合は、登録者の追加処理が行われる。追加処理は、登録者マスターテーブル１４に利用者によって入力された情報を書き込むことによって行われる。登録者マスターテーブル１４への書き込みが終了すると、新規登録完了の画面５４が表示される。
【００６２】
図７は、登録変更処理についての説明図である。この処理は、問題回答受付処理４１、抽選処理４２、当選者発表処理及び当選者の当選手続き処理４３、翌日用データ処理４４のそれぞれのトップ画面から「登録変更」の項目を利用者が選択した場合に行われる処理である。
【００６３】
トップ画面の登録変更の項目が選択されると、登録変更の処理が開始され、登録者マスターテーブル１４に格納されている情報の読取処理が行われ、当該利用者に関する情報の登録変更入力画面５５が表示される。後述のように、トップ画面が表示される場合は、すでにアクセスしている者のＵＩＤの情報を懸賞管理装置２が受信しているので、このＵＩＤに基づいて、登録者マスターテーブル１４のの情報を検索し読取処理を行う。
【００６４】
登録変更画面５５において、利用者は、登録変更したい項目について入力を完了させたのち、確認画面へボタン５５ａを選択する。次いで、画面に登録変更確認画面５６が表示される。利用者はこの画面を確認し、入力ミスがないかどうかについて確認する。訂正が必要な場合は、訂正ボタン５６ａを選択し、登録変更入力画面に戻り再入力する。入力情報の訂正が必要ではない場合は、ＯＫボタン５６ｂを選択する。
【００６５】
登録変更確認画面５６でＯＫボタン５６ｂが選択された場合は、登録者の更新処理が行われる。更新処理は、登録者マスターテーブル１４に利用者によって入力された情報を上書きすることによって行われる。登録者マスターテーブル１４への書き込みが終了すると、登録変更完了の画面５７が表示される。
【００６６】
図８は、トップページから直接行う翌日の第１問目の投票処理についての説明図である。この処理は、問題回答受付処理４１、抽選処理４２、当選者発表処理及び当選者の当選手続き処理４３、翌日用データ処理４４のそれぞれのトップ画面から「明日の二択投票」の項目を利用者が選択した場合に行われる処理であり、本日分の問題に不正解の場合に行う翌日の第１問目の投票処理（図４参照）と異なる。
【００６７】
トップページから直接行う翌日の第１問目の投票処理が開始されると、計時ユニット１２の日付データを参照して、設問１マスターテーブル３３から翌日分の第１問の問題と回答候補５８ａが出力され、これらの情報が表示された投票入力画面５８が表示される。利用者は、この画面を参照して、２つの回答候補の中から一方を選択し、決定ボタン５８ｂによって回答を決定する。利用者が決定した回答候補の情報が本懸賞管理装置２に送信されると、制御演算部１１により投票（加算）処理が行われる。このときの１回の投票当たりの得票数は１票であり、得票数は投票集計テーブル１８に集計される。当該投票の集計が終了すると、投票受付完了画面５９が利用者の端末に表示され、処理が終了する。
【００６８】
次に、利用者のアクセス時間によって異なる処理について説明する。
【００６９】
まず、利用者のアクセスが、８時〜１７時の間にあった場合の問題回答受付処理４１について説明する。
【００７０】
図９は、問題回答受付処理のトップ画面表示に関する処理のフローの説明図である。利用者が問題回答受付処理の時間帯に本懸賞管理装置２にアクセスを行うと（＃２１）、携帯電話機ごとに与えられているＵＩＤが本懸賞管理装置２に送信される。本懸賞管理装置２は、受信したＵＩＤを確認し（＃２２）、当該利用者が登録されているかどうかについて判断する（＃２３）。この判断は、登録者マスターテーブル１４を参照することによって行う。登録がされていない場合は、未登録トップ画面６０を当該携帯電話機に送信する。
【００７１】
登録がされている場合は、当該利用者が、翌日分の第１問に投票しているか否かについて判断する（＃２４）。この判断は、回答履歴テーブル１７を参照することによって行う。投票済の場合は、既登録投票済トップ画面６１を当該携帯電話機に送信し、未投票の場合は、既登録未投票トップ画面６２を当該携帯電話機に送信する。
【００７２】
問題回答受付処理４１における３つのトップ画面のいずれかを当該利用者が操作する携帯電話機に送信した場合には、どの画面をどの利用者に送信したかを記録するログを第１アクセスログ３１に記録する。このログは、少なくとも３つのトップ画面を識別する識別子とＵＩＤとが含まれる。
【００７３】
未登録トップ画面６０は、本日の賞品を確認する処理と新規登録処理にそれぞれリンクするための本日の賞品ボタン５１Ｔ及び新規登録５２Ｔが表示されている。このほかに、例えば、利用規約、使用方法、問い合わせ先などのリンクに接続するためのボタンなどが表示されていてもよい。
【００７４】
既登録投票済トップ画面は、本日の賞品を確認する処理にリンクするための本日の賞品ボタン５１Ｔ、回答処理へリンクするためのＬｅｔ’ｓ　Ｔｒｙボタン６１ａ、登録変更処理にリンクするための登録変更５５Ｔが表示されている。
【００７５】
既登録未投票トップ画面は、本日の賞品を確認する処理にリンクするための本日の賞品ボタン５１Ｔ、回答処理へリンクするためのＬｅｔ’ｓ　Ｔｒｙボタン６１ａ、登録変更処理にリンクするための登録変更５５Ｔ、翌日の第１問の投票処理へリンクするための明日の２択投票ボタン５８Ｔが表示されている。
【００７６】
問題回答受付処理４１における３つのトップ画面に表示されている本日の賞品ボタン５１Ｔを選択すると、賞品を確認するために行われる処理が行われる（図５参照）。また、新規登録ボタン５２Ｔを選択すると、新規登録処理が行われる（図６参照）。登録変更ボタン５５Ｔを選択すると、登録変更処理が行われる（図７参照）。明日の二択投票ボタン５８Ｔを選択すると、トップページから直接行う翌日の第１問目の投票処理が行われる（図８参照）。Ｌｅｔ’ｓ　Ｔｒｙボタン６１ａを操作すると回答処理へ移行する。
【００７７】
図１０及び図１１は、回答処理のフローの説明図である。回答処理がスタートすると、設問１マスターテーブル３３から本日分の設問１の問題６３ａと回答候補６３ｂとが出力され、これらの項目が含まれた１問目画面６３を表示する。１問目画面６３の表示の処理を行うと、第２アクセスログ３２にこの記録を書き出すための処理を行う。
【００７８】
利用者が１問目の回答を予想していずれかの回答候補を入力するとこの情報が送信され、この情報を受信した懸賞管理装置２は、設問１マスターテーブル３３を参照して、利用者の回答が正解であるかどうかを判断する（＃３１）。正解である場合は、第１問に正解したことを回答履歴テーブル１７に登録する処理を行い（＃３２）、１問目を正解したことのメッセージと投票結果を示す円グラフ６４ａが表示された第１問目正解及び答え画面６４を表示する。
【００７９】
画面６４には、２問目へボタン６４ｂが表示されており、これを操作することによって引き続いて第２問目に移行する。
【００８０】
２問目画面６６は、設問２マスターテーブル３４を参照して、２問目の問題６６ａと回答候補６６ｂとを表示する。利用者が、回答候補６６ｂの中から答えを選択して、決定ボタン６６ｃを操作することによりこの情報が送信され、これを受信した懸賞管理装置２は、設問２マスターテーブル３４を参照して、利用者が選択した回答が正解であるか否かについて判断する（＃３４）。正解である場合は、第２問に正解したことを回答履歴テーブル１７に登録する処理を行い（＃３５）、２問目を正解したことのメッセージ６７ａと抽選待ちであることを示すメッセージ６７ｂが表示された第２問目正解及び答え画面６４を表示する。
【００８１】
一方、１問目及び２問目について利用者が選択した回答が不正解である場合は、不正解である旨のメッセージと翌日の１問目への投票のメッセージが表示される。これらの画面からの投票は、上述の通り、１投票当たり２票の得票数をがカウントされるようになっており、翌日の第１問目の正解に与える影響が大きくなることから利用者には、翌日の問題には正解しやすくなるという期待感を持たせることができる。
【００８２】
具体的には、第１問に不正解であった場合には、このことを回答履歴テーブル１７に登録する処理を行い（＃３３）、１問目を不正解したことのメッセージと投票結果を示す円グラフ６５ａが表示された１問目不正解及び答え画面６５を表示する。また、この画面には、設問１マスターテーブル３１を参照して翌日の設問１の問題と回答候補６５ｂが表示される。
【００８３】
同様に、第２問に不正解であった場合には、このことを回答履歴テーブル１７に登録する処理を行い（＃３６）、２問目を不正解したことのメッセージ６８ａと翌日の設問１の問題と回答候補６８ｂを表示する２問目不正解及び答え画面６８が利用者の携帯電話の画面に表示される。
【００８４】
１問目不正解及び答え画面６５又は２問目不正解及び答え画面６８において、利用者が回答候補を選択して決定ボタン６５ｃ，６８ｃを操作すると、投票（加算）処理が行われる（＃３７）。このときの得票数は、上述のように１投票当たり２票を得ることができるように処理されており（＃３８）、投票の結果が投票集計テーブル１８に格納され、利用者の携帯電話に翌日分投票受付完了画面５９を送信する。
【００８５】
次に、利用者のアクセスが、１７時〜１８時の間にあった場合の抽選処理４２について説明する。抽選処理４２中の時間帯には、懸賞管理装置２では、回答処理において２問共正解した利用者の中から賞品の当選候補者を決定する当選者決定処理を行っている。この時間帯に利用者がアクセスした場合には、以下の３種類のトップ画面が表示される。
【００８６】
図１２は、抽選処理のトップ画面表示に関する処理のフローの説明図である。利用者が抽選処理の時間帯に本懸賞管理装置２にアクセスを行うと（＃４１）、問題回答受付処理時においてアクセスがあった場合と同様に、ＵＩＤのチェックを行い（＃４２）、登録者マスターテーブル１４を参照して当該利用者が登録された利用者であるか否かを判断し（＃４３）、続いて明日の第１問に投票済であるか否かについて回答履歴テーブル１７を参照することにより判断して３つのトップ画面のうちどの画面を表示させるかについて決定される。
【００８７】
未登録画面６９においては、本日分の回答処理は終了しているため、明日の賞品ボタン５１Ｔと新規登録ボタン５２Ｔとが表示される。既登録投票済画面７０においては明日の賞品ボタン５１Ｔと登録変更ボタン５５Ｔが表示される。既登録未投票画面７１においては明日の賞品ボタン５１Ｔ、登録変更ボタン５５Ｔ、明日の二択投票ボタン５８Ｔが表示される。３つのトップ画面のいずれかを当該利用者が操作する携帯電話機に送信した場合には、どの画面をどの利用者に送信したかを記録するログを第１アクセスログ３１に記録する。
【００８８】
抽選処理４２の３つのトップ画面にそれぞれ表示されているボタンは、問題回答受付処理４１におけるボタンと同じ役割を行う。すなわち、例えば、明日の賞品５１Ｔボタンを選択すると、賞品を確認するために行われる処理が行われる（図５参照）。
【００８９】
抽選処理４２が行われている間に、懸賞管理装置２は、本日分のすべての問題に当選した利用者の中から当選候補者を決定するための処理を行う。図１３は当選者決定処理のフローの説明図である。
【００９０】
当選者決定処理では、賞品マスターテーブル１５に格納されている本日分の賞品に対する当選者枠の人数になるように、投票集計テーブル１８と回答履歴テーブル１７に格納されているすべての問題を正解した利用者（母集団）の中からを当選候補者を選択する。この選択の方法としては、特に定められるものではない。当選者決定処理においては、懸賞管理装置２の管理画面７２に当選者の情報が表示され、当該懸賞管理装置２の操作者が確定ボタン７２ｂを選択することによって、当選候補者が決定する。当選候補者が決定すると、当選者テーブル２０を更新するための更新処理が行われる。更新処理（＃５２）では、先のステップで本日分の賞品の当選候補者として選択された利用者の情報が当選者テーブル２０に格納され、管理画面の表示が確定終了画面７３となって処理が終了する。なお、この段階においては、当選者テーブル２０に情報が格納された当選候補者は、当選が確定したわけではなく、後述の当選者手続きを行う必要がある。
【００９１】
次に、利用者のアクセスが、１８時〜２４時の間にあった場合の当選者発表処理及び当選者の当選手続き処理４３について説明する。当選者発表処理及び当選者の当選手続き処理４３中の時間帯には、懸賞管理装置２では、抽選処理４２において決定された当選候補者を表示すると共に、当選候補者に当選を確定させるための当選手続きを行っている。この時間帯に利用者がアクセスした場合には、以下の３種類のトップ画面が表示される。
【００９２】
図１４は、当選者発表処理及び当選者の当選手続き処理のトップ画面表示に関する処理のフローの説明図である。利用者がこの時間帯に本懸賞管理装置２にアクセスを行うと（＃６１）、先の処理と同様に、ＵＩＤのチェックを行い（＃６２）、登録者マスターテーブル１４を参照して当該利用者が登録された利用者であるか否かを判断し（＃６３）、続いて明日の第１問に投票済であるか否かについて回答履歴テーブル１７を参照することにより判断して３つのトップ画面のうちどの画面を表示させるかについて決定される。
【００９３】
未登録画面７４においては、本日分の回答処理は終了しているため、明日の賞品ボタン５１Ｔと新規登録ボタン５２Ｔとが表示される。既登録投票済画面７５においては明日の賞品ボタン５１Ｔ、登録変更ボタン５５Ｔ、当選者の発表ボタン７５ａが表示される。既登録未投票画面７６においては明日の賞品ボタン５１Ｔ、登録変更ボタン５５Ｔ、明日の二択投票ボタン５８Ｔ、当選者の発表ボタン７６ａが表示される。３つのトップ画面のいずれかを当該利用者が操作する携帯電話機に送信した場合には、どの画面をどの利用者に送信したかを記録するログを第１アクセスログ３１に記録する。
【００９４】
当選者発表処理及び当選者の当選手続き処理４３の３つのトップ画面にそれぞれ表示されているボタンは、抽選処理４２におけるボタンと同じ役割を行う。すなわち、例えば、明日の賞品５１Ｔボタンを選択すると、賞品を確認するために行われる処理が行われる（図５参照）。
【００９５】
当選者発表処理及び当選者の当選手続き処理４３の既登録投票済画面７５及び既登録未投票画面７６において、当選者の発表ボタン７５ａ，７６ａを操作すると、当選者発表処理へ移行する。
【００９６】
当選者発表処理は、抽選処理４２において、決定された当選候補者を発表すると共に、当選候補者自身には、当選手続きを行うことにより当選を確定させるための処理求めるものである。図１５に当選者発表処理のフローの説明図を示す。
【００９７】
当選者発表処理は、上述のように、トップ画面７５，７６において当選者発表ボタン７５ａ７６ａを操作することによりスタートする。まず、当該利用者が当選候補者であるかどうかについて判断する（＃７１）。これは、利用者のＵＩＤが当選者テーブル２０に格納されているＵＩＤと合致するか否かによって決定する。
【００９８】
当該利用者が当選候補者ではない場合、すなわち、当該利用者のＵＩＤが、当選者テーブルに格納されているＵＩＤと合致しない場合は、当選者テーブルに格納されている情報を当該利用者の携帯電話機に表示する。この画面７８では、当選候補者の都道府県名とニックネームが一覧として表示される。当選候補者が１ページで表示しきれない場合は、次へボタン７８ａを操作することにより、当該表示ページを引用し、次の表示ページについて先のステップを繰り返す。
【００９９】
当該利用者が当選候補者である場合、すなわち、当該利用者のＵＩＤが、当選者テーブルに格納されているＵＩＤと合致する場合は、当選者画面７７を表示すると共に、当選者自身の情報７７ａを点滅表示する。
【０１００】
点滅表示している当選者の情報７７ａには、当選者登録のためのリンクが張られており、これを選択することにより、当選者登録手続き処理に移行する。この処理ではまず、当選者登録入力画面７９を表示させる。当選者登録入力画面７９では、利用者に所定の項目の入力７９ａを求める。所定の項目としては、賞品を郵送するための住所や名前などがあげられる。入力が終了すると、確認画面へボタン７９ｂを操作することにより、当選者登録確認画面８０へ移行する。当選者登録確認画面８０では、当選者登録入力画面７９において入力された情報を確認するための情報８０ａが画面に表示される。利用者はこの情報を確認し、訂正が必要である場合は訂正ボタン８０ｂを操作する。訂正ボタンが操作された場合は、当選者登録入力画面７９へ画面が戻る。当選者登録確認画面８０において、訂正が必要ではない場合は、ＯＫボタン８０ｃを選択することにより、登録処理へ移行する。
【０１０１】
登録処理では、当選者テーブル２０に当選者登録入力画面において入力されたり容赦の情報を登録するための処理を行う（＃７２）。登録が終了すると、当選が確定した旨の情報８１ａを利用者の携帯電話機へ送信し、当選者登録完了画面８１を表示させる。
【０１０２】
次に、利用者のアクセスが、１８時〜２４時の間にあった場合の翌日用データ処理４４について説明する。翌日用データ処理４４中の時間帯には、懸賞管理装置２は、本日分のデータを記録すると共に、翌日分の第１問の投票の集計を行い、翌日分第１問目の回答を決定する処理を行っている。この時間帯に利用者がアクセスした場合には、以下の３種類のトップ画面が表示される。
【０１０３】
図１６は、翌日用データ処理のトップ画面表示に関する処理のフローの説明図である。利用者が翌日用データ処理の時間帯に本懸賞管理装置２にアクセスを行うと（＃８１）、問題回答受付処理時においてアクセスがあった場合と同様に、ＵＩＤのチェックを行い（＃８２）、登録者マスターテーブル１４を参照して当該利用者が登録された利用者であるか否かを判断し（＃８３）、続いて明日の第１問（日付が変わっているので、本実施形態での当日の翌々日の第１問に相当する。）に投票済であるか否かについて回答履歴テーブル１７を参照することにより判断して３つのトップ画面のうちどの画面を表示させるかについて決定される。
【０１０４】
未登録画面８２においては、本日の賞品ボタン５１Ｔと新規登録ボタン５２Ｔとが表示される。既登録投票済画面８３においては本日の賞品ボタン５１Ｔ、登録変更ボタン５５Ｔ、当選者の発表ボタン８３ａが表示される。既登録未投票画面８４においては明日の賞品ボタン５１Ｔ、登録変更ボタン５５Ｔ、明日の二択投票ボタン５８Ｔ、当選者の発表ボタン８４ａが表示される。３つのトップ画面のいずれかを当該利用者が操作する携帯電話機に送信した場合には、どの画面をどの利用者に送信したかを記録するログを第１アクセスログ３１に記録する。
【０１０５】
翌日用データ処理４４の３つのトップ画面にそれぞれ表示されているボタンは、問題回答受付処理４１等におけるボタンと同じ役割を行う。すなわち、例えば、本日の賞品５１Ｔボタンを選択すると、賞品を確認するために行われる処理が行われる（図５参照）。なお、当選者の発表ボタン８３ａ，８４ａは、当選者発表処理及び当選者の当選手続き処理４３における処理とは異なり、当選者テーブル２０を参照して、当選候補者を表示するに留まり、当選手続き処理には移行しない。
【０１０６】
翌日用データ処理４４が行われている間に、懸賞管理装置２は、本日分の懸賞においてえられたログや当選した利用者等の情報の保存及び、翌日分の第１問の投票結果の集計処理などを行う。図１７、図１８、図１９は翌日用データ処理において行われる処理のフローの説明図である。
【０１０７】
図１７は、第１アクセスログを更新するための処理を示す図である。第１アクセスログ３１は、翌日用データ処理において、時間帯別のアクセス数などが集計され（＃９１）、その結果が第１集計結果テーブル３５に登録される（＃９２）。集計結果が第１集計結果テーブル３５に登録されると、第１アクセスログ３１に格納されている情報が削除され（＃９３）、翌日のトップページへのアクセスのログを空白の状態から記録する。
【０１０８】
図１８は、回答履歴テーブル１７を更新するための処理を示す図である。回答履歴テーブル１７は、翌日用データ処理において、格納されている情報が削除され（＃９４）、翌日の問題に対する回答を空白の状態から記録する。
【０１０９】
図１９は、第２アクセスログを更新するための処理を示す図である。第２アクセスログ３２は、翌日用データ処理において、時間帯別のアクセス数などが集計され（＃９５）、その結果が第２集計結果テーブル３６に登録される（＃９６）。集計結果が第２集計結果テーブル３６に登録されると、第２アクセスログ３１に格納されている情報が削除され（＃９７）、翌日の問題回答処理におけるアクセスログを空白の状態から記録する。
【０１１０】
以上説明したように、本実施形態にかかる懸賞管理装置２は、利用者の期待感を損なうことなく、翌日分の第１問への投票、懸賞品の応募、当選者の発表と３回にわたってアクセス数を増大させることができる。
【０１１１】
なお、本発明は上記実施形態に限定されるものではなく、その他種々の態様で実施可能である。例えば、本実施形態では、設問１のみを投票形式の設問としたが、設問２も本実施形態の設問１と同じように、投票数を予想するような投票形式の問題とすることもできる。
【０１１２】
また、例えば、本実施形態においては、本懸賞管理装置によって実現される懸賞サイトは利用者登録しなければ操作できないように構成されているが、一部の機能については利用者登録をすることなく操作できるようにしてもよい。例えば、トップページから直接行う明日の第１問への投票の処理は登録せずに行うことができるようにすることもできる。この場合は、トップページ６０，６９，７４，８２に明日の二択投票ボタンを表示するようにすればよく、回答履歴テーブルには、携帯電話機の端末ごとに付されているＵＩＤを記録しておけばよい。
【０１１３】
また、さらに、本実施形態においては、懸賞に応募する条件となる２つの設問に対して誤答した場合、その後に続く翌日の第１問への投票処理において、１投票当たり２得票となるように集計し、さらにトップページから任意に行う投票と併せて合計３得票の権利を与えるように処理している。一方、これをそれぞれ２つのルートからの得票数を共に１得票ずつとし、合計２得票の権利を与えるように処理してもよい。
【図面の簡単な説明】
【図１】本発明の懸賞管理装置を含む懸賞管理システムのシステム構成図である。
【図２】図１の懸賞管理システムの懸賞管理装置の構成を示すブロック図である。
【図３】図２の懸賞管理装置によって実現される懸賞サイトの流れの概略を説明するフローである。
【図４】本日分の問題に不正解の場合の得票数の決定処理についてのフローである。
【図５】賞品を確認するために行われる処理についての説明図である。
【図６】新規登録処理についての説明図である。
【図７】登録変更処理についての説明図である。
【図８】トップページから直接行う翌日の第１問目の投票処理についての説明図である。
【図９】問題回答受付処理のトップ画面表示に関する処理のフローの説明図である。
【図１０】回答処理のフローの説明図である。
【図１１】回答処理のフローの説明図である。
【図１２】抽選処理のトップ画面表示に関する処理のフローの説明図である。
【図１３】は当選者決定処理のフローの説明図である。
【図１４】当選者発表処理及び当選者の当選手続き処理のトップ画面表示に関する処理のフローの説明図である。
【図１５】当選者発表処理のフローの説明図である。
【図１６】翌日用データ処理のトップ画面表示に関する処理のフローの説明図である。
【図１７】第１アクセスログを更新するための処理を示す図である。
【図１８】回答履歴テーブル１７を更新するための処理を示す図である。
【図１９】第２アクセスログを更新するための処理を示す図である。
【符号の説明】
１　懸賞管理システム
２　懸賞管理装置
３　パーソナルコンピュータ
４　携帯電話機
５　インターネット
１０　制御演算部
１１　送受信部
１２　計時ユニット
１３　ｗｅｂデータ
１４　登録者マスターテーブル
１５　賞品マスターテーブル
１７　回答履歴テーブル
１８　投票集計テーブル
２０　当選者テーブル
３１　第１アクセスログ
３２　第２アクセスログ
３３　設問１マスターテーブル
【図１】
2004013619.tif 000003
【図２】
2004013619.tif 000004
【図３】
2004013619.tif 000005
【図４】
2004013619.tif 000006
【図５】
2004013619.tif 000007
【図６】
2004013619.tif 000008
【図７】
2004013619.tif 000009
【図８】
2004013619.tif 000010
【図９】
2004013619.tif 000011
【図１０】
2004013619.tif 000012
【図１１】
2004013619.tif 000013
【図１２】
2004013619.tif 000014
【図１３】
2004013619.tif 000015
【図１４】
2004013619.tif 000016
【図１５】
2004013619.tif 000017
【図１６】
2004013619.tif 000018
【図１７】
2004013619.tif 000019
【図１８】
2004013619.tif 000020
【図１９】
2004013619.tif 000021